(57)【要約】【課題】屋根を葺く作業を容易にし、強度や防水性の高いものとする。【解決手段】長尺の金属板であって、一方の長辺に立設された雪止部１３を有し、他方の長辺に前記雪止部１３に係合する立設された雪止係合部１４とを有する屋根板１０を用い、この屋根板１０を屋根上において水平よりも僅かに傾斜されて敷設する。前記屋根板１０が敷設される地板３１に、垂木の位置に固設され、前記雪止部１３に係合して屋根板１０を固定する屋根板固定具２０と、屋根の水平方向に直交する方向に設けられた樋と、前記屋根板１０における前記樋に隣接する短辺端部に設けられ、前記樋へ雪雨を誘導する横側誘導部１８とを具備する。【選択図】図２
0003121933.tif 000002
【実用新案登録請求の範囲】
【請求項１】
長尺の金属板であって、一方の長辺に立設された雪止部を有し、他方の長辺に前記雪止部に係合する立設された雪止係合部とを有する屋根板が、屋根上において水平よりも僅かに傾斜されて敷設された屋根構造において、
前記屋根板が敷設される地板に、垂木の位置に固設され、前記雪止部に係合して屋根板を固定する屋根板固定具と、
屋根の水平方向に直交する方向に設けられた樋と、
前記屋根板における前記樋に隣接する短辺端部に設けられ、前記樋へ雪雨を誘導する横側誘導部と
を具備することを特徴とする屋根構造。
【請求項２】
屋根の最下端縁に敷設された屋根板には、軒に設けられた樋へ雪雨を誘導する縦側誘導部が設けられていることを特徴とする請求項１に記載の屋根構造。
【請求項３】
前記屋根板の短辺端部に設けられ、該短辺端部からの風雪の侵入を防止する侵入防止具
を具備することを特徴とする請求項１または請求項２に記載の屋根構造。
【考案の詳細な説明】
【技術分野】
【０００１】
この考案は、屋根構造に関し、特に雪止部を具備している屋根構造にかかわるものである。
【背景技術】
【０００２】
従来より、屋根から滑り落ちる雪による事故の防止を目的として様々の屋根構造が考案されている。
【０００３】
例えば特許文献１に示されるものにあっては、雪止部を有する屋根の構造において、上記雪止部を乗り越えようとする雪の動きを抑制する上動抑制部を雪止部における棟側面部に形成してあることが特徴である。また、集水溝に融雪水を流れ込みやすくするため横や葺屋根板の一方の端を水下側へ向けて傾斜させている。
【特許文献１】特許登録３０５８３２７号公報（要約、００２５欄）
【０００４】
更に、特許文献２には、屋根の左右両側縁個所及び中央縦線上個所に登り樋を設けたものが示されている。
【特許文献２】実公平６−１３３０２号公報
【考案の開示】
【考案が解決しようとする課題】
【０００５】
しかしながら、従来の雪止部を有する屋根の構造においては、屋根を葺く作業を容易に行うことができ、しかも強度や防水性を考慮したものが提供されているものではない。本考案は、このような現状に鑑みてなされたもので、その目的は屋根を葺く作業を容易にし、しかも強度や防水性の高い屋根構造を提供することである。
【課題を解決するための手段】
【０００６】
本考案に係る屋根構造は、長尺の金属板であって、一方の長辺に立設された雪止部を有し、他方の長辺に前記雪止部に係合する立設された雪止係合部とを有する屋根板が、屋根上において水平よりも僅かに傾斜されて敷設された屋根構造において、前記屋根板が敷設される地板に、垂木の位置に固設され、前記雪止部に係合して屋根板を固定する屋根板固定具と、屋根の水平方向に直交する方向に設けられた樋と、前記屋根板における前記樋に隣接する短辺端部に設けられ、前記樋へ雪雨を誘導する横側誘導部とを具備することを特徴とする。
【０００７】
本考案に係る屋根構造は、屋根の最下端縁に敷設された屋根板には、軒に設けられた樋へ雪雨を誘導する縦側誘導部が設けられていることを特徴とする。
【０００８】
本考案に係る屋根構造は、前記屋根板の短辺端部に設けられ、該短辺端部からの風雪の侵入を防止する侵入防止具を具備することを特徴とする。
【考案の効果】
【０００９】
本考案に係る屋根構造は、屋根板が敷設される地板に屋根板固定具を垂木の位置に固設して、雪止部に係合して屋根板を固定するので、屋根を葺く作業を容易にし、しかも屋根板固定具と屋根板の重なりにより強度を優れたものとすることができる。また、屋根板にあっては、屋根の水平方向に直交する方向に設けられた樋に隣接する短辺端部に、上記樋へ雪雨を誘導する横側誘導部とを具備する構成となっているので、防水性の高い屋根構造を提供できる。
【考案を実施するための最良の形態】
【００１０】
本考案では、屋根板が敷設される地板に屋根板固定具を垂木の位置に固設して、雪止部に係合して屋根板を固定する構造を採用することにより、屋根を葺く作業を容易にし、しかも強度を優れたものとするという目的を達成したものである。また、屋根板において、屋根の水平方向に直交する方向に設けられた樋に隣接する短辺端部に、上記樋へ雪雨を誘導する横側誘導部とを具備する構成を採用することにより、防水性を高めるという目的を達成したものである。
【実施例１】
【００１１】
以下添付図面を参照して、本考案に係る屋根構造の実施例を説明する。各図において、同一の構成要素には同一の符号を付して重複する説明を省略する。図１には、本考案に係る屋根構造の実施例により屋根を葺いた家屋の正面図が示され、図２にはこの屋根構造において用いられる屋根板１０の斜視図が示されている。屋根板１０は、長尺の例えばトタンなどの金属板であって、底部１１の両端から立設した側板１２、１２により凹部が形成されている。
【００１２】
屋根において葺かれた状態において上側となる長辺である側板１２の頭部は、外側に直角に折り曲げられ、更にその先端は直角に下側に折り曲げられている。この側板１２を含んだ折り曲げられている部分は雪止部１３を構成している。屋根において葺かれた状態において下側となる長辺である側板１２の頭部は、内側に直角に折り曲げられている。この側板１２及び折り曲げられた部分は、上記雪止部１３に係合する立設された雪止係合部１４となっている。
【００１３】
上記屋根板１０が図１に示されるように、屋根上において水平よりも僅かに傾斜されて敷設されている。屋根板１０の敷設の際には、図２に示される屋根板固定具２０が用いられる。屋根板固定具２０は、基部２１と、屋根板１０の雪止部１３の下側に入り込み係合する係合部２２とを有する。屋根板固定具２０は、図３に示されるように地板３１上において垂木３２の位置に釘などにより固設される。このように地板３１上に固設された屋根板固定具２０の係合部２２に対し屋根板１０の雪止部１３を被せるようにして、屋根板固定具２０の係合部２２と雪止部１３及び雪止係合部１４を係合する。雪止部１３及び雪止係合部１４と係合部２２とを係合状態において図４に示すように、これらを折り曲げて結合する。
【００１４】
屋根面において上側と下側に位置する屋根板１０、１０にあっては、上側の屋根板１０における雪止係合部１４に、下側の屋根板１０における雪止部１３が図５に示されるように係合されてカシメられている。屋根板固定具２０が存在するところにおいては、屋根板１０における雪止部１３と屋根板固定具２０と雪止係合部１４が重なった状態となり、３枚が重ねられた状態において図４に示すようにカシメられる。
【００１５】
上記のようにして屋根面における殆どの部分において屋根板１０を葺く作業が行われるが、屋根面における最上部の屋根板１０Ａは図１に示すように斜めに切断されており、雪止部１３が切り取られた状態となっている。この最上部の屋根板１０Ａに対しては、図３に示される通りに、あおり板１５を被せて金属板（例えばトタン）を葺くようにする。
【００１６】
また、屋根面における最下部の屋根板１０Ｂは図１に示すように斜めに切断されており、雪止係合部１４が切り取られた状態となっている。この切り取られた先端部分は、図６に示すように軒に設けられた樋４０へ雪雨を誘導する縦側誘導部１６とする。具体的には、切り取られた先端部分１７を下側へ折り曲げ更に折り曲げてＵ字状とし、これにＵ字状の頭部を有する受け板４１を嵌合する。これにより軒に設けられた樋４０へ雪雨を誘導することができる。
【００１７】
更に、屋根には屋根の水平方向に直交する方向に延びる樋５０が設けられている。この実施例では、屋根を中央部から左右に区分するように樋５０が設けられている。屋根板１０の傾斜は、この樋５０を介して左右対象となっている。屋根板１０における短辺端部においては、図２に示されるように底部１１から外側先端に向かうに従って広がる台形形状に突出した横側誘導部１８が形成されている。
【００１８】
上記横側誘導部１８は、樋５０の側部において下方へ折り曲げられ、樋５０における側部５１が図７に示すように上端部において内側の下側に折り曲げられた係合部５２と係合されて潰され樋５０へ雪雨を誘導する構成とされる。
【００１９】
隣接する屋根板１０、１０の横側誘導部１８、１８にあっては、樋５０の内側から見た場合には図８に示されるように、屋根の上側に位置する屋根板１０の横側誘導部１８が、屋根の上側に位置する屋根板１０の横側誘導部１８の上流側部分１８Ｕにおいて覆い被さり、雪雨が隙間に入り込まない構成となっている。
【００２０】
更に、横側誘導部１８は屋根板１０の他方の側にも形成されており、屋根の端部２において下方へ折り曲げられ、屋根の端部２に設けられている覆板に固定される。また、底部１１の両端から立設した側板１２が、上記端部において僅かに長く形成され、これを雪止部１３と雪止係合部１４の係合側に折り曲げてカシメることにより、該短辺端部からの風雪の侵入を防止する侵入防止具として作用する。
【図面の簡単な説明】
【００２１】
【図１】本考案に係る屋根構造の構成を示す正面図。
【図２】本考案に係る屋根構造に用いられる屋根板及び屋根板固定具の斜視図。
【図３】本考案に係る屋根構造を実現する際の屋根板固定具による固定構造を示す斜視図。
【図４】本考案に係る屋根構造を実現する屋根板固定具による固定構造の断面図。
【図５】本考案に係る屋根構造を実現する雪止部と雪止係合部と係合状態を示す断面図。
【図６】本考案に係る屋根構造を実現するため、軒に設けられた樋へ雪雨を誘導する縦側誘導部の部分を示す断面図。
【図７】本考案に係る屋根構造を実現するため、屋根の水平方向に直交する方向に設けられた樋樋へ雪雨を誘導する横側誘導部の部分を示す断面図。
【図８】本考案に係る屋根構造を実現するため、屋根の水平方向に直交する方向に設けられた樋樋へ雪雨を誘導する横側誘導部の部分重なり状態を示す断面図。
【符号の説明】
【００２２】
１０  屋根板 
１３  雪止部 
１４  雪止係合部 
１６  縦側誘導部 
１８  横側誘導部 
２０  屋根板固定具 
３１  地板 
３２  垂木 
４０、５０  樋
【図１】
0003121933.tif 000003
【図２】
0003121933.tif 000004
【図３】
0003121933.tif 000005
【図４】
0003121933.tif 000006
【図５】
0003121933.tif 000007
【図６】
0003121933.tif 000008
【図７】
0003121933.tif 000009
【図８】
0003121933.tif 000010